(57)【特許請求の範囲】
【請求項１】
表示部と、
処理対象となる複数のオブジェクトを含む一覧画面を前記表示部に表示させる表示制御部と、
前記一覧画面より先頭のオブジェクトを指定する開始操作の有無と、停止操作の有無とを判定する操作判定部と、
前記操作判定部により前記開始操作がなされたと判定されると、所定の順に従って、前記先頭のオブジェクトから順次、オブジェクトを前記一覧画面から選択する選択部と、
前記選択部により順次選択されたオブジェクトに対して特定の処理を実行するとともに、前記操作判定部により前記停止操作がなされたと判定されると、前記特定の処理の順次実行を停止する処理実行部と、
個々のオブジェクトに対する前記特定の処理が完了する度に、当該完了の旨を報知する報知部と、を備える、
ことを特徴とする情報処理装置。
【請求項２】
表示部と、
処理対象となる複数のオブジェクトを含む一覧画面を前記表示部に表示させる表示制御部と、
前記一覧画面より先頭のオブジェクトを指定する開始操作の有無と、停止操作の有無と、復元操作の有無とを判定する操作判定部と、
前記操作判定部により前記開始操作がなされたと判定されると、所定の順に従って、前記先頭のオブジェクトから順次、オブジェクトを前記一覧画面から選択する選択部と、
前記選択部により順次選択されたオブジェクトに対して特定の処理を実行するとともに、前記操作判定部により前記停止操作がなされたと判定されると、前記特定の処理の順次実行を停止し、前記特定の処理が実行された後に、前記操作判定部により前記復元操作がなされたと判定されると、オブジェクトの状態を、前記特定の処理が実行される前の状態に戻す処理実行部と、を備える、
ことを特徴とする情報処理装置。
【請求項３】
表示部と、
処理対象となる複数のオブジェクトを含む一覧画面を前記表示部に表示させる表示制御部と、
前記一覧画面より先頭のオブジェクトを指定する開始操作の有無と、停止操作の有無とを判定する操作判定部と、
前記操作判定部により前記開始操作がなされたと判定されると、所定の順に従って、前記先頭のオブジェクトから順次、オブジェクトを前記一覧画面から選択する選択部と、
前記選択部により順次選択されたオブジェクトに対して特定の処理を実行するとともに、前記操作判定部により、選択されたオブジェクトに対する前記特定の処理が開始されてから所定時間内に前記停止操作がなされたと判定されると、現在のオブジェクトに対する前記特定の処理を中止した後に前記特定の処理の順次実行を停止し、前記所定時間経過後、前記操作判定部により前記停止操作がなされたと判定されると、現在のオブジェクトに対する前記特定の処理を完了した後に前記特定の処理の順次実行を停止する処理実行部と、を備える、
ことを特徴とする情報処理装置。
【請求項４】
表示部と、
処理対象となる複数のオブジェクトを含む一覧画面を前記表示部に表示させる表示制御部と、
ユーザにより押下される被操作部と、
前記一覧画面より先頭のオブジェクトが指定された状態で前記被操作部への押下がなされたことに基づいて開始操作がなされたと判定するとともに、前記被操作部への押下がなくなったことに基づいて停止操作がなされたと判定する操作判定部と、
前記操作判定部により前記開始操作がなされたと判定されると、所定の順に従って、前記先頭のオブジェクトから順次、オブジェクトを前記一覧画面から選択する選択部と、
前記選択部により順次選択されたオブジェクトに対して特定の処理を実行するとともに、前記操作判定部により前記停止操作がなされたと判定されると、前記特定の処理の順次実行を停止する処理実行部と、を備える、
ことを特徴とする情報処理装置。
【請求項５】
請求項１ないし４の何れか一項に記載の情報処理装置において、
前記操作判定部は、前記停止操作に基づいて前記特定の処理が停止した後、前記先頭のオブジェクトを新たに指定する開始操作の有無を判定する、
ことを特徴とする情報処理装置。
【請求項６】
請求項１ないし５の何れか一項に記載の情報処理装置において、
前記表示制御部は、前記特定の処理が実行されているオブジェクトを他のオブジェクトと区別するための表示を前記表示部に表示させる、
ことを特徴とする情報処理装置。
【請求項７】
請求項１ないし６の何れか一項に記載の情報処理装置において、
前記オブジェクトは、ファイル、アプリケーションプログラム、またはアプリケーションプログラムのショートカットの少なくとも１つを含む、
ことを特徴とする情報処理装置。
【請求項８】
請求項１ないし７の何れか一項に記載の情報処理装置において、
前記特定の処理は、前記オブジェクトの移動、コピー、削除、登録もしくは開放の少なくとも１つを含む、
ことを特徴とする情報処理装置。
【請求項９】
請求項１に記載の情報処理装置において、
前記操作判定部は、さらに、復元操作の有無を判定し、
前記処理実行部は、前記特定の処理が実行された後に、前記操作判定部により前記復元操作がなされたと判定されると、オブジェクトの状態を、前記特定の処理が実行される前の状態に戻す、
ことを特徴とする情報処理装置。
【請求項１０】
請求項１または９に記載の情報処理装置において、
前記処理実行部は、
前記操作判定部により、選択されたオブジェクトに対する前記特定の処理が開始されてから所定時間内に前記停止操作がなされたと判定されると、現在のオブジェクトに対する前記特定の処理を中止した後に前記特定の処理の順次実行を停止し、
前記所定時間経過後、前記操作判定部により前記停止操作がなされたと判定されると、現在のオブジェクトに対する前記特定の処理を完了した後に前記特定の処理の順次実行を停止する、
ことを特徴とする情報処理装置。
【請求項１１】
請求項１、９または１０の何れか一項に記載の情報処理装置において、
ユーザにより押下される被操作部を、さらに備え、
前記操作判定部は、前記先頭のオブジェクトが指定された状態で前記被操作部への押下がなされたことに基づいて前記開始操作がなされたと判定するとともに、前記被操作部への押下がなくなったことに基づいて前記停止操作がなされたと判定する、
ことを特徴とする情報処理装置。
【請求項１２】
請求項２に記載の情報処理装置において、
前記処理実行部は、
前記操作判定部により、選択されたオブジェクトに対する前記特定の処理が開始されてから所定時間内に前記停止操作がなされたと判定されると、現在のオブジェクトに対する前記特定の処理を中止した後に前記特定の処理の順次実行を停止し、
前記所定時間経過後、前記操作判定部により前記停止操作がなされたと判定されると、現在のオブジェクトに対する前記特定の処理を完了した後に前記特定の処理の順次実行を停止する、
ことを特徴とする情報処理装置。
【請求項１３】
請求項２、３または１２の何れか一項に記載の情報処理装置において、
ユーザにより押下される被操作部を、さらに備え、
前記操作判定部は、前記先頭のオブジェクトが指定された状態で前記被操作部への押下がなされたことに基づいて前記開始操作がなされたと判定するとともに、前記被操作部への押下がなくなったことに基づいて前記停止操作がなされたと判定する、
ことを特徴とする情報処理装置。
【請求項１４】
処理対象となる複数のオブジェクトを含む一覧画面が表示部に表示される情報処理装置のコンピュータに、
前記一覧画面より先頭のオブジェクトを指定する開始操作の有無と、停止操作の有無とを判定する機能と、
前記開始操作がなされると、所定の順に従って、前記先頭のオブジェクトから順次、オブジェクトを前記一覧画面から選択する機能と、
順次選択されたオブジェクトに対して特定の処理を実行するとともに、前記停止操作がなされると、前記特定の処理の順次実行を停止する機能と、
個々のオブジェクトに対する前記特定の処理が完了する度に、当該完了の旨を報知する機能と、
を実行させるプログラム。
【請求項１５】
処理対象となる複数のオブジェクトを含む一覧画面が表示部に表示される情報処理装置の制御方法であって、
前記一覧画面より先頭のオブジェクトを指定する開始操作の有無を判定するステップと、
前記開始操作がなされると、所定の順に従って、前記先頭のオブジェクトから順次、オブジェクトを前記一覧画面から選択するステップと、
順次選択されたオブジェクトに対して特定の処理を実行するステップと、
前記特定の処理が順次実行されている間に、停止操作の有無を判定するステップと、
前記停止操作がなされると、前記特定の処理の順次実行を停止するステップと、
個々のオブジェクトに対する前記特定の処理が完了する度に、当該完了の旨を報知するステップと、
を含む制御方法。
【請求項１６】
処理対象となる複数のオブジェクトを含む一覧画面が表示部に表示される情報処理装置のコンピュータに、
前記一覧画面より先頭のオブジェクトを指定する開始操作の有無と、停止操作の有無と、復元操作の有無とを判定する機能と、
前記開始操作がなされると、所定の順に従って、前記先頭のオブジェクトから順次、オブジェクトを前記一覧画面から選択する機能と、
順次選択されたオブジェクトに対して特定の処理を実行するとともに、前記停止操作がなされると、前記特定の処理の順次実行を停止する機能と、
前記特定の処理が実行された後に、前記復元操作がなされると、オブジェクトの状態を、前記特定の処理が実行される前の状態に戻す機能と、
を実行させるプログラム。
【請求項１７】
処理対象となる複数のオブジェクトを含む一覧画面が表示部に表示される情報処理装置の制御方法であって、
前記一覧画面より先頭のオブジェクトを指定する開始操作の有無を判定するステップと、
前記開始操作がなされると、所定の順に従って、前記先頭のオブジェクトから順次、オブジェクトを前記一覧画面から選択するステップと、
順次選択されたオブジェクトに対して特定の処理を実行するステップと、
前記特定の処理が順次実行されている間に、停止操作の有無を判定するステップと、
前記停止操作がなされると、前記特定の処理の順次実行を停止するステップと、
復元操作の有無を判定するステップと、
前記特定の処理が実行された後に、前記復元操作がなされると、オブジェクトの状態を、前記特定の処理が実行される前の状態に戻すステップと、
を含む制御方法。
【請求項１８】
処理対象となる複数のオブジェクトを含む一覧画面が表示部に表示される情報処理装置のコンピュータに、
前記一覧画面より先頭のオブジェクトを指定する開始操作の有無と、停止操作の有無とを判定する機能と、
前記開始操作がなされると、所定の順に従って、前記先頭のオブジェクトから順次、オブジェクトを前記一覧画面から選択する機能と、
順次選択されたオブジェクトに対して特定の処理を実行するとともに、選択されたオブジェクトに対する前記特定の処理が開始されてから所定時間内に前記停止操作がなされると、現在のオブジェクトに対する前記特定の処理を中止した後に前記特定の処理の順次実行を停止し、前記所定時間経過後、前記停止操作がなされると、現在のオブジェクトに対する前記特定の処理を完了した後に前記特定の処理の順次実行を停止する機能と、
を実行させるプログラム。
【請求項１９】
処理対象となる複数のオブジェクトを含む一覧画面が表示部に表示される情報処理装置の制御方法であって、
前記一覧画面より先頭のオブジェクトを指定する開始操作の有無を判定するステップと、
前記開始操作がなされると、所定の順に従って、前記先頭のオブジェクトから順次、オブジェクトを前記一覧画面から選択するステップと、
順次選択されたオブジェクトに対して特定の処理を実行するステップと、
前記特定の処理が順次実行されている間に、停止操作の有無を判定するステップと、
選択されたオブジェクトに対する前記特定の処理が開始されてから所定時間内に前記停止操作がなされると、現在のオブジェクトに対する前記特定の処理を中止した後に前記特定の処理の順次実行を停止し、前記所定時間経過後、前記停止操作がなされると、現在のオブジェクトに対する前記特定の処理を完了した後に前記特定の処理の順次実行を停止するステップと、
を含む制御方法。
【請求項２０】
表示部とユーザにより押下される被操作部とを備え、処理対象となる複数のオブジェクトを含む一覧画面が前記表示部に表示される情報処理装置のコンピュータに、
前記一覧画面より先頭のオブジェクトが指定された状態で前記被操作部への押下がなされたことに基づいて開始操作がなされたと判定するとともに、前記被操作部への押下がなくなったことに基づいて停止操作がなされたと判定する機能と、
前記開始操作がなされると、所定の順に従って、前記先頭のオブジェクトから順次、オブジェクトを前記一覧画面から選択する機能と、
順次選択されたオブジェクトに対して特定の処理を実行するとともに、前記停止操作がなされると、前記特定の処理の順次実行を停止する機能と、
を実行させるプログラム。
【請求項２１】
表示部とユーザにより押下される被操作部とを備え、処理対象となる複数のオブジェクトを含む一覧画面が前記表示部に表示される情報処理装置の制御方法であって、
前記一覧画面より先頭のオブジェクトが指定された状態で前記被操作部への押下がなされたことに基づいて開始操作がなされたと判定するステップと、
前記開始操作がなされると、所定の順に従って、前記先頭のオブジェクトから順次、オブジェクトを前記一覧画面から選択するステップと、
順次選択されたオブジェクトに対して特定の処理を実行するステップと、
前記特定の処理が順次実行されている間に、前記被操作部への押下がなくなったことに基づいて停止操作がなされたと判定するステップと、
前記停止操作がなされると、前記特定の処理の順次実行を停止するステップと、
を含む制御方法。
【発明の詳細な説明】
【技術分野】
【０００１】
本発明は、携帯電話機、パーソナルコンピュータ、ＰＤＡ（PersonalDigital Assistant）、タブレットＰＣ（Tablet PC）、電子書籍端末等の情報処理装置に関する。また、本発明は、かかる情報処理装置に用いて好適なプログラムおよび制御方法に関する。
【背景技術】
【０００２】
従来、携帯電話機では、ユーザの操作により、テキストファイル、画像ファイル等の各種ファイルを所望のフォルダへ移動することやコピーすることができる（特許文献１参照）。同様に、携帯電話機では、ユーザの操作により、アプリケーションプログラム（以下、単に「アプリケーション」という）の移動、コピー等も可能である。
【０００３】
たとえば、ファイルの一覧画面において、複数のファイルを一度に移動する場合、従来の操作方法では、以下の手順が採られていた。ユーザは、まず、所定の操作を行うことにより一覧画面上にメニューのウィンドウを表示させて「移動」の項目を選択する。次に、ユーザは、所定の操作を行うことにより一覧画面上に移動単位（１個／複数／全部）を選択するためのウィンドウを表示させて「複数」の項目を選択する。次に、ユーザは、複数のファイルが選択可能となった一覧画面上で移動させるファイルを複数選択し、移動を実行するための操作を行う。
【０００４】
複数のファイルをコピーする場合や削除する場合も、同様な手順が採られ得る。アプリケーションの移動、コピー、削除等についても、同様な手順が採られ得る。
【先行技術文献】
【特許文献】
【０００５】
【特許文献１】特開２００４−３３６７１９号公報
【発明の概要】
【発明が解決しようとする課題】
【０００６】
しかしながら、上記の操作方法では、複数のファイルやアプリケーションの移動、コピー、削除等を行う場合に、操作工数が多くなってしまう。
【０００７】
そこで、本発明は、ファイルやアプリケーションに対する移動、コピー、削除等の処理に要する操作を軽減できる情報処理装置、プログラムおよび情報処理装置の制御方法を提供することを目的とする。
【課題を解決するための手段】
【０００８】
本発明の第１の態様に係る情報処理装置は、表示部と、処理対象となる複数のオブジェクトを含む一覧画面を前記表示部に表示させる表示制御部と、前記一覧画面より先頭のオブジェクトを指定する開始操作の有無と、停止操作の有無とを判定する操作判定部と、前記操作判定部により前記開始操作がなされたと判定されると、所定の順に従って、前記先頭のオブジェクトから順次、オブジェクトを前記一覧画面から選択する選択部と、前記選択部により順次選択されたオブジェクトに対して特定の処理を実行するとともに、前記操作判定部により前記停止操作がなされたと判定されると、前記特定の処理の順次実行を停止する処理実行部と、個々のオブジェクトに対する前記特定の処理が完了する度に、当該完了の旨を報知する報知部と、を備える。
本発明の第２の態様に係る情報処理装置は、表示部と、処理対象となる複数のオブジェクトを含む一覧画面を前記表示部に表示させる表示制御部と、前記一覧画面より先頭のオブジェクトを指定する開始操作の有無と、停止操作の有無と、復元操作の有無とを判定する操作判定部と、前記操作判定部により前記開始操作がなされたと判定されると、所定の順に従って、前記先頭のオブジェクトから順次、オブジェクトを前記一覧画面から選択する選択部と、前記選択部により順次選択されたオブジェクトに対して特定の処理を実行するとともに、前記操作判定部により前記停止操作がなされたと判定されると、前記特定の処理の順次実行を停止し、前記特定の処理が実行された後に、前記操作判定部により前記復元操作がなされたと判定されると、オブジェクトの状態を、前記特定の処理が実行される前の状態に戻す処理実行部と、を備える。
本発明の第３の態様に係る情報処理装置は、表示部と、処理対象となる複数のオブジェクトを含む一覧画面を前記表示部に表示させる表示制御部と、前記一覧画面より先頭のオブジェクトを指定する開始操作の有無と、停止操作の有無とを判定する操作判定部と、前記操作判定部により前記開始操作がなされたと判定されると、所定の順に従って、前記先頭のオブジェクトから順次、オブジェクトを前記一覧画面から選択する選択部と、前記選択部により順次選択されたオブジェクトに対して特定の処理を実行するとともに、前記操作判定部により、選択されたオブジェクトに対する前記特定の処理が開始されてから所定時間内に前記停止操作がなされたと判定されると、現在のオブジェクトに対する前記特定の処理を中止した後に前記特定の処理の順次実行を停止し、前記所定時間経過後、前記操作判定部により前記停止操作がなされたと判定されると、現在のオブジェクトに対する前記特定の処理を完了した後に前記特定の処理の順次実行を停止する処理実行部と、を備える。
本発明の第４の態様に係る情報処理装置は、表示部と、処理対象となる複数のオブジェクトを含む一覧画面を前記表示部に表示させる表示制御部と、ユーザにより押下される被操作部と、前記一覧画面より先頭のオブジェクトが指定された状態で前記被操作部への押下がなされたことに基づいて開始操作がなされたと判定するとともに、前記被操作部への押下がなくなったことに基づいて停止操作がなされたと判定する操作判定部と、前記操作判定部により前記開始操作がなされたと判定されると、所定の順に従って、前記先頭のオブジェクトから順次、オブジェクトを前記一覧画面から選択する選択部と、前記選択部により順次選択されたオブジェクトに対して特定の処理を実行するとともに、前記操作判定部により前記停止操作がなされたと判定されると、前記特定の処理の順次実行を停止する処理実行部と、を備える。
【０００９】
第１の態様、第２の態様、第３の態様または第４の態様に係る情報処理装置において、前記操作判定部は、前記停止操作に基づいて前記特定の処理が停止した後、前記先頭のオブジェクトを新たに指定する開始操作の有無を判定するような構成とされ得る。
【００１０】
第１の態様、第２の態様または第４の態様に係る情報処理装置において、前記処理実行部は、前記操作判定部により、選択されたオブジェクトに対する前記特定の処理が開始されてから所定時間内に前記停止操作がなされたと判定されると、現在のオブジェクトに対する前記特定の処理を中止した後に前記特定の処理の順次実行を停止し、前記操作判定部により前記所定時間経過後に前記停止操作がなされたと判定されると、現在のオブジェクトに対する前記特定の処理を完了した後に前記特定の処理の順次実行を停止するような構成とされ得る。
【００１１】
第１の態様、第２の態様、第３の態様または第４の態様に係る情報処理装置において、前記表示制御部は、前記特定の処理が実行されているオブジェクトを他のオブジェクトと区別するための表示を前記表示部に表示させるような構成とされ得る。
【００１２】
第１の態様、第２の態様または第３の態様に係る情報処理装置は、ユーザにより押下される被操作部を、さらに備えるような構成とされ得る。この場合、前記操作判定部は、前記先頭のオブジェクトが指定された状態で前記被操作部への押下がなされたことに基づいて前記開始操作がなされたと判定するとともに、前記被操作部への押下がなくなったことに基づいて前記停止操作がなされたと判定する。
【００１３】
第１の態様、第３の態様または第４の態様に係る情報処理装置において、前記操作判定部は、さらに、復元操作の有無を判定するような構成とされ得る。この場合、前記処理実行部は、前記特定の処理が実行された後に、前記操作判定部により前記復元操作がなされたと判定されると、オブジェクトの状態を、前記特定の処理が実行される前の状態に戻す。
【００１５】
第１の態様、第２の態様、第３の態様または第４の態様に係る情報処理装置において、前記オブジェクトは、ファイル、アプリケーションプログラム、またはアプリケーションプログラムのショートカットの少なくとも１つを含み得る。
【００１６】
第１の態様、第２の態様、第３の態様または第４の態様に係る情報処理装置において、前記特定の処理は、前記オブジェクトの移動、コピー、削除、登録もしくは開放の少なくとも１つを含み得る。
【００１７】
本発明の第５の態様に係るプログラムは、処理対象となる複数のオブジェクトを含む一覧画面が表示部に表示される情報処理装置のコンピュータに、前記一覧画面より先頭のオブジェクトを指定する開始操作の有無と、停止操作の有無とを判定する機能と、前記開始操作がなされると、所定の順に従って、前記先頭のオブジェクトから順次、オブジェクトを前記一覧画面から選択する機能と、順次選択されたオブジェクトに対して特定の処理を実行するとともに、前記停止操作がなされると、前記特定の処理の順次実行を停止する機能と、個々のオブジェクトに対する前記特定の処理が完了する度に、当該完了の旨を報知する機能と、を実行させる。
【００１８】
本発明の第６の態様は、処理対象となる複数のオブジェクトを含む一覧画面が表示部に表示される情報処理装置の制御方法に関する。本態様に係る制御方法は、前記一覧画面より先頭のオブジェクトを指定する開始操作の有無を判定するステップと、前記開始操作がなされると、所定の順に従って、前記先頭のオブジェクトから順次、オブジェクトを前記一覧画面から選択するステップと、順次選択されたオブジェクトに対して特定の処理を実行するステップと、前記特定の処理が順次実行されている間に、停止操作の有無を判定するステップと、前記停止操作がなされると、前記特定の処理の順次実行を停止するステップと、個々のオブジェクトに対する前記特定の処理が完了する度に、当該完了の旨を報知するステップと、を含む。
本発明の第７の態様に係るプログラムは、処理対象となる複数のオブジェクトを含む一覧画面が表示部に表示される情報処理装置のコンピュータに、前記一覧画面より先頭のオブジェクトを指定する開始操作の有無と、停止操作の有無と、復元操作の有無とを判定する機能と、前記開始操作がなされると、所定の順に従って、前記先頭のオブジェクトから順次、オブジェクトを前記一覧画面から選択する機能と、順次選択されたオブジェクトに対して特定の処理を実行するとともに、前記停止操作がなされると、前記特定の処理の順次実行を停止する機能と、前記特定の処理が実行された後に、前記復元操作がなされると、オブジェクトの状態を、前記特定の処理が実行される前の状態に戻す機能と、を実行させる。
本発明の第８の態様は、処理対象となる複数のオブジェクトを含む一覧画面が表示部に表示される情報処理装置の制御方法に関する。本態様に係る制御方法は、前記一覧画面より先頭のオブジェクトを指定する開始操作の有無を判定するステップと、前記開始操作がなされると、所定の順に従って、前記先頭のオブジェクトから順次、オブジェクトを前記一覧画面から選択するステップと、順次選択されたオブジェクトに対して特定の処理を実行するステップと、前記特定の処理が順次実行されている間に、停止操作の有無を判定するステップと、前記停止操作がなされると、前記特定の処理の順次実行を停止するステップと、復元操作の有無を判定するステップと、前記特定の処理が実行された後に、前記復元操作がなされると、オブジェクトの状態を、前記特定の処理が実行される前の状態に戻すステップと、を含む。
本発明の第９の態様に係るプログラムは、処理対象となる複数のオブジェクトを含む一覧画面が表示部に表示される情報処理装置のコンピュータに、前記一覧画面より先頭のオブジェクトを指定する開始操作の有無と、停止操作の有無とを判定する機能と、前記開始操作がなされると、所定の順に従って、前記先頭のオブジェクトから順次、オブジェクトを前記一覧画面から選択する機能と、順次選択されたオブジェクトに対して特定の処理を実行するとともに、選択されたオブジェクトに対する前記特定の処理が開始されてから所定時間内に前記停止操作がなされると、現在のオブジェクトに対する前記特定の処理を中止した後に前記特定の処理の順次実行を停止し、前記所定時間経過後、前記停止操作がなされると、現在のオブジェクトに対する前記特定の処理を完了した後に前記特定の処理の順次実行を停止する機能と、を実行させる。
本発明の第１０の態様は、処理対象となる複数のオブジェクトを含む一覧画面が表示部に表示される情報処理装置の制御方法に関する。本態様に係る制御方法は、前記一覧画面より先頭のオブジェクトを指定する開始操作の有無を判定するステップと、前記開始操作がなされると、所定の順に従って、前記先頭のオブジェクトから順次、オブジェクトを前記一覧画面から選択するステップと、順次選択されたオブジェクトに対して特定の処理を実行するステップと、前記特定の処理が順次実行されている間に、停止操作の有無を判定するステップと、選択されたオブジェクトに対する前記特定の処理が開始されてから所定時間内に前記停止操作がなされると、現在のオブジェクトに対する前記特定の処理を中止した後に前記特定の処理の順次実行を停止し、前記所定時間経過後、前記停止操作がなされると、現在のオブジェクトに対する前記特定の処理を完了した後に前記特定の処理の順次実行を停止するステップと、を含む。
本発明の第１１の態様に係るプログラムは、表示部とユーザにより押下される被操作部とを備え、処理対象となる複数のオブジェクトを含む一覧画面が前記表示部に表示される情報処理装置のコンピュータに、前記一覧画面より先頭のオブジェクトが指定された状態で前記被操作部への押下がなされたことに基づいて開始操作がなされたと判定するとともに、前記被操作部への押下がなくなったことに基づいて停止操作がなされたと判定する機能と、前記開始操作がなされると、所定の順に従って、前記先頭のオブジェクトから順次、オブジェクトを前記一覧画面から選択する機能と、順次選択されたオブジェクトに対して特定の処理を実行するとともに、前記停止操作がなされると、前記特定の処理の順次実行を停止する機能と、を実行させる。
本発明の第１２の態様は、表示部とユーザにより押下される被操作部とを備え、処理対象となる複数のオブジェクトを含む一覧画面が前記表示部に表示される情報処理装置の制御方法に関する。本態様に係る制御方法は、前記一覧画面より先頭のオブジェクトが指定された状態で前記被操作部への押下がなされたことに基づいて開始操作がなされたと判定するステップと、前記開始操作がなされると、所定の順に従って、前記先頭のオブジェクトから順次、オブジェクトを前記一覧画面から選択するステップと、順次選択されたオブジェクトに対して特定の処理を実行するステップと、前記特定の処理が順次実行されている間に、前記被操作部への押下がなくなったことに基づいて停止操作がなされたと判定するステップと、前記停止操作がなされると、前記特定の処理の順次実行を停止するステップと、を含む。
【発明の効果】
【００１９】
本発明によれば、ファイルやアプリケーションに対する移動、コピー、削除等の処理に要する操作を軽減できる情報処理装置、プログラムおよび情報処理装置の制御方法を提供することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施形態に係る、携帯電話機の構成を示す図である。
【図２】実施形態に係る、携帯電話機の全体構成を示すブロック図である。
【図３】実施形態に係る、ファイルの一覧画面の表示例を示す図である。
【図４】実施形態に係る、ファイル移動処理の流れを示すフローチャートである。
【図５】実施形態に係る、ファイル移動処理が実行されたときの画面表示例を示す図である。
【図６】実施形態に係る、ファイル移動処理が実行されたときの画面表示例を示す図である。
【図７】実施形態に係る、ファイルコピー処理の流れを示すフローチャートである。
【図８】実施形態に係る、ファイルコピー処理が実行されたときの画面表示例を示す図である。
【図９】実施形態に係る、ファイルコピー処理が実行されたときの画面表示例を示す図である。
【図１０】実施形態に係る、ファイル削除処理の流れを示すフローチャートである。
【図１１】実施形態に係る、ファイル削除処理が実行されたときの画面表示例を示す図である。
【図１２】実施形態に係る、ファイル削除処理が実行されたときの画面表示例を示す図である。
【図１３】実施形態に係る、ファイル開放処理の流れを示すフローチャートである。
【図１４】実施形態に係る、ファイル開放処理が実行されたときの画面表示例を示す図である。
【図１５】実施形態に係る、ファイル開放処理が実行されたときの画面表示例を示す図である。
【図１６】変更例１に係る、ファイル登録処理の流れを示すフローチャートである。
【図１７】変更例１に係る、ファイル登録処理が実行されたときの画面表示例を示す図である。
【図１８】変更例１に係る、ファイル登録処理が実行されたときの画面表示例を示す図である。
【図１９】変更例２に係る、携帯電話機の構成について説明するための図である。
【図２０】変更例３に係る、携帯電話機の構成について説明するための図である。
【図２１】変更例４に係る、携帯電話機の構成について説明するための図である。
【図２２】変更例４に係る、携帯電話機の構成について説明するための図である。
【図２３】変更例４に係る、携帯電話機の構成について説明するための図である。
【図２４】変更例５に係る、携帯電話機の構成を示す図である。
【図２５】変更例５に係る、ファイル移動処理が実行されたときの画面表示例を示す図である。
【図２６】変更例５に係る、ファイル移動処理が実行されたときの画面表示例を示す図である。
【図２７】その他の変更例に係る、携帯電話機の構成について説明するための図である。
【発明を実施するための形態】
【００２２】
以下、本発明の実施形態について、図面を参照して説明する。
【００２３】
図１は、携帯電話機１の構成を示す図である。図１（ａ）および（ｂ）は、それぞれ、携帯電話機１の正面図および背面図である。
【００２４】
以下、説明の便宜上、図１に示すように、キャビネット２の長手方向を上下方向と定義し、キャビネット２の短手方向を左右方向と定義する。
【００２５】
携帯電話機１は、キャビネット２と、表示面３と、マイクロフォン４と、通話スピーカ５と、キー操作部６と、外部スピーカ７とを備えている。
【００２６】
キャビネット２は、正面から見て、ほぼ長方形状を有する。キャビネット２の正面に、後述する表示部１３の表示面３が配されている。表示面３には、各種の画像（画面）が表示される。
【００２７】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２８】
キャビネット２の正面には、キー操作部６が設けられている。キー操作部６は、複数の操作キーから構成されている。各操作キーには、実行中のプログラムを操作するための各種の機能が割り当てられる。
【００２９】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００３０】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００３１】
記憶部１２は、ＲＯＭ、ＲＡＭ等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。
【００３２】
さらに、記憶部１２には、テキストファイル、画像ファイル、音楽ファイル等の各種ファイルが記憶されている。
【００３３】
記憶部１２には、プログラムの実行の際、一時的に利用または生成されるデータを記憶するワーキング領域も含まれる。
【００３４】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３５】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３６】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３７】
タッチ検出部１４は、前記表示面３へのユーザによるタッチを検出する。即ち、タッチ検出部１４は、指が触れた表示面３上の位置を入力位置として検出し、検出した入力位置に応じた位置信号を制御部１１へ出力する。
【００３８】
ユーザは、表示面３に指を触れることにより各種のタッチ操作を行うことができる。タッチ操作の種類として、タップ操作、フリック操作、スライド操作、ロングタッチ操作、ダブルタップ操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。ロングタッチ操作は、所定時間以上、指を表示面３に接触させ続ける操作である。ダブルタップ操作は、短時間の間にタップ操作を２回繰り返す操作である。
【００３９】
音声入力部１５は、マイクロフォン４等から構成される。音声入力部１５は、マイクロフォン４からの電気信号を音声処理部１７へ出力する。
【００４０】
音声出力部１６は、通話スピーカ５、外部スピーカ７等から構成される。音声出力部１６には、音声処理部１７からの電気信号を入力され、通話スピーカ５または外部スピーカ７から音（音声、報知音等）が出力される。
【００４１】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４２】
キー入力部１８は、キー操作部６の各操作キーが押下されたときに、押下された操作キーに応じた信号を制御部１１へ出力する。
【００４３】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４４】
さて、本実施形態の携帯電話機１では、記憶部１２に記憶された各種ファイルの一覧を表示させることができる。
【００４５】
図３（ａ）および（ｂ）は、ファイルの一覧画面の表示例を示す図である。図３（ａ）に示すように、一覧画面には、複数のファイル、即ち、ファイルに対応するテキストアイコンが並べられる。各ファイルは、たとえば、各ファイルが同一の階層であることを示すバスにより連結されている。
【００４６】
ユーザは、一覧画面において、フォルダを作成することができる。作成されたフォルダは、たとえば、各ファイルと同じ階層とされる。ユーザは、作成したフォルダ内への各ファイルの移動や、各ファイルのコピーの作成を行うことができる。
【００４７】
さらにユーザは、一覧画面において、不要なファイルを削除することができる。
【００４８】
図３（ｂ）に示すように、たとえば、ユーザによる所定の操作によって、一覧画面にメニューウィンドウがポップアップ表示される。メニューウィンドウには、一覧画面中の各ファイルに対して実行可能な処理（移動、コピー、削除、開く等）の項目が表示される。ユーザは、メニューウィンドウから所望の項目を選択する。ユーザにより選択された項目に対応する処理（ファイル移動処理、ファイルコピー処理、ファイル削除処理、ファイル開放処理等）は制御部１１により実行される。以下、ファイル移動処理、ファイルコピー処理、ファイル削除処理、ファイル開放処理等を総称する場合、「ファイル処理」と称する。
【００４９】
図２に戻り、一覧画面中のファイルに対してファイル処理を実行するため、制御部１１は、表示制御部２１と、操作判定部２２と、選択部２３と、処理実行部２４とを備えている。
【００５０】
表示制御部２１は、表示部１３に対する表示制御を行う。たとえば、表示制御部２１は、ファイルの一覧画面を表示部１３に表示させる。さらに、表示制御部２１は、ファイル処理が実行されると、処理に従って一覧画面の表示を更新する。
【００５１】
操作判定部２２は、ファイル処理において、タッチ検出部１４による検出結果に基づき、ファイル処理に係るユーザの操作を判定する。操作判定部２２は、ファイルの移動先またはコピー先のフォルダを指定する指定操作の有無を判定する。フォルダの指定操作は、たとえば、フォルダ（フォルダのテキストアイコン）へのタップ操作である。操作判定部２２は、フォルダの位置へのタッチを検出した後、予め定めた第１時間以内にタッチが検出されなくなった場合に、フォルダへのタップ操作がなされたと判定する。
【００５２】
さらに、操作判定部２２は、一覧画面より先頭のファイルを指定する開始操作の有無と、停止操作の有無とを判定する。開始操作は、たとえば、先頭のファイルとして指定するファイル（ファイルのテキストアイコン）へのロングタッチ操作である。操作判定部２２は、ファイルの位置へのタッチを検出した後、予め定めた第２時間以上、タッチが検出され続けた場合に、ファイルへのロングタッチ操作がなされたと判定する。終了操作は、たとえば、ロングタッチ操作に続いて表示面３から指をリリースする操作である。操作判定部２２は、ロングタッチ操作であると判定した後に、継続していたタッチの検出がなくなった場合に、ロングタッチ操作に続くリリース操作がなされたと判定する。
【００５３】
さらに、操作判定部２２は、データ処理を終了させるための終了操作の有無を判定する。終了操作は、たとえば、一覧画面の背景領域（フォルダおよびファイル以外の領域）へのダブルタップ操作である。操作判定部２２は、背景領域の位置でのタップ操作が予め定めた第３時間以内の間隔で２回検出された場合に、背景領域へのダブルタップ操作がなされたと判定する。
【００５４】
選択部２３は、ファイル処理において、操作判定部２２により開始操作がなされたと判定されると、開始操作の際に指定された先頭のファイルから所定の選択順位に従ってファイルを順次選択する。選択順位は、たとえば、一覧画面におけるファイルの配列順とすることができる。図３（ａ）のように、一覧画面において、ファイルが、上下一列に配列されている場合、たとえば、上方に位置するファイルほど順位が小さくなるように順位が決
められる。選択順位が一位でないファイルが先頭のファイルに指定された場合、選択部２３は、選択順位が最下位のファイルを選択すると、次に、選択順位が一位のファイルに戻り、選択順位に従ってファイルの選択を継続する。選択部２３は、選択順位が最下位のファイルを選択すると、選択順位が一位のファイルには戻らず、ファイルの選択を終了する構成とされても良い。
【００５５】
処理実行部２４は、選択部２３により順次選択されたファイルに対して移動、コピー、削除、開放等の処理を実行する。さらに、処理実行部２４は、操作判定部２２により停止操作がなされたと判定されると、処理の順次実行を停止する。
【００５６】
図４は、ファイル移動処理の流れを示すフローチャートである。図５および図６は、ファイル移動処理が実行されたときの画面表示例を示す図である。
【００５７】
図３（ｂ）に示すメニューウィンドウの中から、ユーザにより「移動」の項目が選択されると、制御部１１は、ファイル移動処理を開始する。項目の選択が終了すると、メニューウィンドウは消去される。
【００５８】
まず、ユーザは、表示部１３に表示された一覧画面において、ファイルの移動先となるフォルダを指定する。ユーザによりフォルダへのタップ操作がなされると（図５の画面Ａ参照）、制御部１１（操作判定部２２）は、フォルダの指定操作がなされたと判定する（Ｓ１０１：ＹＥＳ）。制御部１１は、指定されたフォルダを移動先フォルダに決定する（Ｓ１０２）。制御部１１（表示制御部２１）は、表示部１３に、移動先フォルダが決定されたことに基づく表示を行う（Ｓ１０３）。Ｓ１０３の処理における表示とは、たとえば、指定されたフォルダが移動先フォルダであることを示すマーカが付されることである（図５の画面Ｂ参照）。
【００５９】
次に、ユーザは、最初に移動させる先頭のファイルを指定して移動の開始操作を行う。ユーザにより先頭のファイルへのロングタッチ操作がなされると（図５の画面Ｃ参照）、制御部１１（操作判定部２２）は、先頭のファイルを指定する開始操作がなされたと判定する（Ｓ１０４：ＹＥＳ）。制御部１１（選択部２３）は、一覧画面から、指定されたファイルを選択し、移動の対象ファイルに決定する（Ｓ１０５）。制御部１１（表示制御部２１）は、表示部１３に、対象ファイルが決定されたことに基づく表示を行う（Ｓ１０６）。たとえば、対象ファイルを他のファイルと区別するために、対象ファイルがハイライト表示される（図５の画面Ｄ参照）。
【００６０】
制御部１１（処理実行部２４）は、対象ファイルを移動先フォルダに移動させる（Ｓ１０７）。
【００６１】
ユーザは、表示面３に指をタッチさせ続ける。タッチが継続している間、制御部１１（操作判定部２２）は、停止操作がないと判定する（Ｓ１０８：ＮＯ）。制御部１１は、対象ファイルの移動が完了したか否かを判定し（Ｓ１０９）、移動が完了したと判定すると（Ｓ１０９：ＹＥＳ）、移動した対象ファイルが最後の対象ファイルであるか否か判定する（Ｓ１１０）。たとえば、先頭のファイルに指定されたファイルの選択順位が一位のファイルである場合、選択順位が最下位のファイルが移動されると、移動した対象ファイルが最後の対象ファイルであると判定される。
【００６２】
移動が完了した対象ファイルが先頭のファイルであれば、最後の対象ファイルでないと判定されるので（Ｓ１１０：ＮＯ）、制御部１１（選択部２３）は、選択順位に従って、次のファイルを一覧画面から選択し、選択したファイルを対象ファイルに決定する（Ｓ１１１）。
【００６３】
次に、制御部１１（表示制御部２１）は、表示部１３に、移動の完了および対象ファイルの決定に基づく表示を行う（Ｓ１１２）。たとえば、移動されたファイルは、移動先フォルダの下の階層であることが分かるよう、移動先フォルダの下方に、移動先フォルダとバスで連結されて表示される。移動元のファイルの表示は消去される。新たな対象ファイルが、消去されたファイルの位置、即ち、指でタッチされている位置に移動され、ハイライト表示される。残りのファイルも対象ファイルの移動に合わせて移動する（図５の画面Ｅ参照）。
【００６４】
ステップＳ１０７に戻り、制御部１１（処理実行部２４）により、新たな対象ファイルが移動先フォルダへ移動される。停止操作がなされることなく移動が完了し、次の対象ファイルが決定されれば、移動の完了と対象ファイルの決定に基づく表示がなされる（Ｓ１０８〜Ｓ１１２）。たとえば、新たに移動されたファイルが、先に移動したファイルに続いて移動先フォルダの下方に表示され、移動元のファイルの表示が消去される。新たな対象ファイルが、消去されたファイルの位置に移動され、ハイライト表示される。残りのファイルも対象ファイルの移動に合わせて移動する（図５の画面Ｆ参照）。
【００６５】
このようにして、ユーザは、ロングタッチ操作後に継続して表示面３に指をタッチさせておけば、一覧画面からファイルが順次選択され、選択されたファイルが移動先フォルダに移動される。つまりユーザは、表示面３に指をタッチさせた位置を移動させることなくファイルを選択することができる。
【００６６】
ユーザは、次のファイルを移動させない場合、そのファイルの移動が開始された後、直ちに停止操作を行う。停止操作とは、たとえば、ユーザが表示面３から指を離す操作である。ユーザによりロングタッチ操作に続いてリリース操作がなされると、制御部１１（操作判定部２２）は、停止操作がなされたと判定する（Ｓ１０８：ＹＥＳ）。制御部１１は、対象ファイルの移動開始から予め定めた確定時間が経過したか否かを判定する（Ｓ１１３）。現在のファイルの移動が開始されてから直ちに停止操作がなされた場合は、確定時間が経過していないため（Ｓ１１３：ＮＯ）、制御部１１（処理実行部２４）は、ファイルの移動を中止する（Ｓ１１４）。
【００６７】
一方、現在のファイルを移動させてから、順次のファイルの移動を停止する場合、ユーザは、確定時間の経過を待って指を表示面３から離す。確定時間が経過しているため（Ｓ１１３：ＹＥＳ）、制御部１１（処理実行部２４）は、そのまま、対象ファイルの移動を継続する。
【００６８】
対象ファイルの移動が中止されると（Ｓ１１４）、あるいは、対象ファイルの移動が完了すると（Ｓ１１５：ＹＥＳ）、制御部１１（選択部２３）は、ファイルの選択を停止する（Ｓ１１６）。制御部１１（表示制御部２１）は、表示部１３に、移動処理の停止に基づく表示を行う（Ｓ１１７）。
【００６９】
移動が中止された場合には、たとえば、移動が中止されたファイルのハイライト表示が消去される（図５の画面Ｇ参照）。一方、移動が完了している場合には、たとえば、新たに移動されたファイルが、先に移動したファイルに続いて移動先フォルダの下方に表示され、移動元のファイルの表示が消去される。残りのファイルは移動せず、ハイライト表示も行われない（図５の画面Ｈ参照）。
【００７０】
ユーザは、所望のファイルをフォルダへ移動させると、終了操作を行う。ユーザによりダブルタップ操作がなされると（図６（ａ）の画面Ｉ参照）、制御部１１（操作判定部２２）は、終了操作がなされたと判定する（Ｓ１１８：ＹＥＳ）。制御部１１（表示制御部
２１）は、表示部１３に、ファイル移動処理が終了されたことに基づく表示を行う（Ｓ１１９）。たとえば、移動先フォルダに付されたマーカが一覧画面から消去される（図６（ａ）の画面Ｊ参照）。こうして、ファイル移動処理が終了する。
【００７１】
ユーザは、一旦、ファイルの移動を停止した後に、さらに、移動させたいファイルがある場合、移動しないファイルを飛ばして、移動させる先頭のファイルを新たに指定し、開始操作を行う。ユーザにより新たな先頭のファイルへのロングタッチ操作がなされると（図６（ｂ）の画面Ｋ参照）、制御部１１（操作判定部２２）により、先頭のファイルを指定する開始操作がなされたと判定され（Ｓ１０４：ＹＥＳ）、指定されたファイルから、再びファイルの移動が行われる（Ｓ１０５〜Ｓ１０７，図６（ｂ）の画面Ｌおよび画面Ｍ参照）。
【００７２】
ユーザは、移動先フォルダと同じ階層の全てのファイルを移動先フォルダに移動させる場合、全てのファイルの移動が完了するまでロングタッチ操作を続ける。最後のファイルの移動が完了すると、ステップＳ１１０において、最後のファイルであると判定され（Ｓ１１０：ＹＥＳ）、制御部１１（表示制御部２１）は、表示部１３に、ファイル移動処理が終了されたことに基づく表示を行う（Ｓ１１９）。移動先フォルダの下方に、移動された全てのファイルが表示され、移動先フォルダと同じ階層のファイルの表示は全て消える（図６（ｃ）参照）。
【００７３】
なお、先頭ファイルに指定したファイルのみを移動する場合は、図５の画面Ｅに示すように先頭ファイルの移動が完了した後、ユーザにより停止操作が行われる。
【００７４】
図７は、ファイルコピー処理の流れを示すフローチャートである。図８および図９は、ファイルコピー処理が実行されたときの画面表示例を示す図である。
【００７５】
図３（ｂ）に示すメニューウィンドウの中から、ユーザにより「コピー」の項目が選択されると、制御部１１により、ファイルコピー処理が開始される。
【００７６】
ファイルコピー処理は、対象ファイルに対する処理がコピー処理である点を除き、ファイル移動処理と同様である。
【００７７】
即ち、ユーザの指定操作（タップ操作）によりコピー先フォルダが指定され、先頭のファイルを指定する開始操作（先頭ファイルへのロングタッチ操作）がなされると、先頭のファイルから、選択順位に従って、順次、ファイルの選択が行われ、選択されたファイルのコピーが行われる（Ｓ２０１〜Ｓ２１２，図８の画面Ａ〜画面Ｆ参照）。ファイルのコピーが順次実行されている間に、ユーザにより停止操作（ロングタッチ操作に続くリリース操作）がなされると、コピー処理が停止される（Ｓ２１３〜Ｓ２１７，図８の画面Ｇおよび画面Ｈ参照）。
【００７８】
さらに、コピー処理が停止された後、ユーザにより、コピーしないファイルが飛ばされ、新たな先頭ファイルが指定されて開始操作がなされると、新たな先頭ファイルからファイルのコピーが行われる（Ｓ２０４〜Ｓ２１２，図９（ｂ）参照）。また、コピー処理が停止された後にユーザにより終了操作（ダブルタップ操作）がなされると、あるいは、ロングタップ操作が継続されて、コピー先フォルダと同じ階層の全てのファイルがコピー先フォルダへコピーされると、ファイルコピー処理が終了される（Ｓ２１８、Ｓ２１９，図９（ａ）、（ｃ）参照）。
【００７９】
なお、ファイルコピー処理では、ファイル移動処理と異なり、コピー元のファイルは残る。よって、図８の画面Ｅ〜画面Ｈに示すように、コピー処理されたファイルの表示は、
そのまま残る。コピー先フォルダの表示は、コピー先フォルダの下方にコピーされたファイルの表示が追加される度に、上方へシフトする。
【００８０】
図１０は、ファイル削除処理の流れを示すフローチャートである。図１１および図１２は、ファイル削除処理が実行されたときの画面表示例を示す図である。
【００８１】
図３（ｂ）に示すメニューウィンドウの中から、ユーザにより「削除」の項目が選択されると、制御部１１により、ファイル削除処理が開始される。
【００８２】
ファイル削除処理は、移動先フォルダが指定されない点、および対象ファイルに対する処理が削除処理である点を除き、ファイル移動処理と同様である。
【００８３】
即ち、先頭のファイルを指定する開始操作（先頭ファイルへのロングタッチ操作）がなされると、先頭のファイルから、選択順位に従って、順次、ファイルの選択が行われ、選択されたファイルの削除が行われる（Ｓ３０１〜Ｓ３０９，図１１の画面Ａ〜画面Ｄ参照）。対象ファイルの削除が完了したことに基づく表示（Ｓ３０９）として、削除されたファイルの表示が、一覧画面上から消去される。ファイルの削除が順次実行されている間に、ユーザにより停止操作（ロングタッチ操作に続くリリース操作）がなされると、削除処理が停止される（Ｓ３１０〜Ｓ３１４，図１１の画面Ｅおよび画面Ｆ参照）。
【００８４】
さらに、削除処理が停止された後、ユーザにより、削除しないファイルが飛ばされ、新たな先頭ファイルが指定されて開始操作がなされると、新たな先頭ファイルからファイルの削除が行われる（Ｓ３０１〜Ｓ３０９，図１２（ｂ）参照）。また、削除処理が停止された後にユーザにより終了操作（ダブルタップ操作）がなされると、あるいは、ロングタップ操作が継続されて、階層が同じである全てのファイルが削除されると、ファイル削除処理が終了される（Ｓ３１５、Ｓ３１６，図１２（ａ）、（ｃ）参照）。ファイル削除処理では、たとえば、図１２（ａ）の画面Ｈに示すように、削除処理の終了に基づく表示が、削除処理の停止に基づく表示と同じ表示とされる。
【００８５】
図１３は、ファイル開放処理の流れを示すフローチャートである。図１４および図１５は、ファイル開放処理が実行されたときの画面表示例を示す図である。開放処理とは、ファイルの内容を表示する処理、もしくは、ファイルに基づく機能を実行するである。
【００８６】
図３（ｂ）に示すメニューウィンドウの中から、ユーザにより「開く」の項目が選択されると、制御部１１により、ファイル開放処理が開始される。
【００８７】
ファイル開放処理は、対象ファイルに対する処理が開放処理である点を除き、ファイル削除処理と同様である。
【００８８】
即ち、先頭のファイルを指定する開始操作（先頭ファイルへのロングタッチ操作）がなされると、先頭のファイルから、選択順位に従って、順次、ファイルの選択が行われ、選択されたファイルが開かれる（Ｓ４０１〜Ｓ４０９，図１４の画面Ａ〜画面Ｄ参照）。制御部１１は、選択されたファイルに対応するアプリケーションを起動し、起動したアプリケーションによってファイルを開く。対象ファイルが開いたことに基づく表示（Ｓ４０９）として、一覧画面における、ファイルの表示がなされていない領域に、開かれたファイルの内容が表示される。
【００８９】
ファイルの開放が順次実行されている間に、ユーザにより停止操作（ロングタッチ操作に続くリリース操作）がなされると、開放処理が停止される（Ｓ４１０〜Ｓ４１４，図１４の画面Ｅおよび画面Ｆ参照）。
【００９０】
さらに、開放処理が停止された後、ユーザにより、開かないファイルが飛ばされ、新たな先頭ファイルが指定されて開始操作がなされると、新たな先頭ファイルからファイルが開かれる（Ｓ４０１〜Ｓ４０９，図１５（ｂ）参照）。また、開放処理が停止された後にユーザにより終了操作（ダブルタップ操作）がなされると、あるいは、ロングタップ操作が継続されて、階層が同じである全てのファイルが開かれると、ファイル開放処理が終了される（Ｓ４１５、Ｓ４１６，図１５（ａ）、（ｃ）参照）。ファイル開放処理では、ファイル削除処理と同様、たとえば、図１５（ａ）の画面Ｈに示すように、開放処理の終了に基づく表示が、開放処理の停止に基づく表示と同じ表示とされる。
【００９１】
以上、本実施形態によれば、先頭のファイルを指定した開始操作がなされると、その後停止操作が行われるまで、先頭のファイルから順次、自動的にファイルが選択され、選択されたファイルに対して移動、コピー、削除、開放等の処理が行われる。よって、ユーザは、処理を行う単位（１個／複数／全部）を選択する操作を行う必要がなく、所望の個数のファイルを処理するための操作を軽減することができる。
【００９２】
さらに、本実施形態によれば、停止操作がなされた後に、新たな先頭ファイルを指定する開始操作の有無が判定され、開始操作があれば、新たな先頭ファイルから処理を再開する。よって、ユーザは、処理が不要なファイルを飛ばして、処理が必要なファイルから再び処理を開始することができので、ユーザの使い勝手が良くなる。
【００９３】
さらに、本実施形態によれば、先のファイルに対する処理が完了して次のファイルの処理が開始されても、開始から所定時間（確定時間）が経過する前に停止操作がなされれば、そのファイルに対する処理が中止される。よって、不要なファイルが処理されないように、先のファイルに対する処理が終了した後にユーザによる停止操作を待つための待機時間を設ける必要がなく、先のファイルが処理された後直ちに次のファイルの処理を開始できる。結果、ファイルを連続的に処理する時間が短縮できる。
【００９４】
さらに、本実施形態よれば、現在、処理が行われているファイルを他のファイルと区別するための表示として、処理が行われているファイルがハイライト表示される。よて、ユーザは、現在、処理が行われているファイルを容易に把握できる。
【００９５】
さらに、本実施形態によれば、ユーザは表示面３を指で押下し、所望のファイルが処理されたタイミングで表示面３から指を離す（押下をやめる）ことにより、容易な操作にて複数個のファイルを連続的に処理することができる。
【００９６】
＜変更例１＞
上記実施形態では、ファイルの移動、コピー、削除および開放の各処理に本発明が適用された。しかしながら、一覧画面に表示された音楽ファイルを、音楽再生リストのフォルダ（再生リストフォルダ）に登録する、あるいは、一覧画面に表示されたファイルをお気に入りリストのフォルダに登録するなどのファイル登録処理に、本発明を適用することもできる。
【００９７】
図１６は、変更例１に係る携帯電話機１のファイル登録処理の流れを示すフローチャートである。図１７および図１８は、ファイル登録処理が実行されたときの画面表示例を示す図である。図１８には、音楽ファイルを再生リストフォルダに登録する場合の画面が示されている。
【００９８】
ファイル登録処理は、対象ファイルに対する処理が登録処理である点を除き、ファイル移動処理と同様である。
【００９９】
即ち、ユーザの指定操作（タップ操作）により登録先フォルダ（たとえば、再生リストフォルダ）が指定され、先頭のファイル（たとえば、音楽ファイル）を指定する開始操作（先頭のファイルへのロングタッチ操作）がなされると、先頭のファイルから、選択順位に従って、順次、ファイルの選択が行われ、選択されたファイルが登録先フォルダへ登録される（Ｓ５０１〜Ｓ５１２，図１７の画面Ａ〜画面Ｆ参照）。ファイルの登録が順次実行されている間に、ユーザにより停止操作（ロングタッチ操作に続くリリース操作）がなされると、登録処理が停止される（Ｓ５１３〜Ｓ５１７，図１７の画面Ｇおよび画面Ｈ参照）。
【０１００】
さらに、登録処理が停止された後、ユーザにより、登録しないファイルが飛ばされ、新たな先頭ファイルが指定されて開始操作がなされると、新たな先頭ファイルからファイルの登録が行われる（Ｓ５０４〜Ｓ５１２，図１８（ｂ）参照）。また、登録処理が停止された後にユーザにより終了操作（ダブルタップ操作）がなされると、あるいは、ロングタップ操作が継続されて、登録先フォルダと同じ階層の全てのファイルが登録先フォルダへ登録されると、ファイル登録処理が終了される（Ｓ５１８、Ｓ５１９，図１８（ａ）、（ｃ）参照）。
【０１０１】
なお、ファイル登録処理では、ファイル移動処理と異なり、登録元のファイルは残る。よって、図１７の画面Ｅ〜画面Ｈに示すように、登録処理されたファイルの表示は、そのまま残る。登録先フォルダの表示は、登録先フォルダの下方に登録されたファイルの表示が追加される度に、上方へシフトする。
【０１０２】
＜変更例２＞
図１９は、変更例２に係る携帯電話機１の構成について説明するための図である。
【０１０３】
本変更例では、停止操作によって、ファイルに対する処理（たとえば、ファイルの移動）が停止されると、図１９（ａ）の画面Ａに示すように、表示制御部２１により、ユーザが復元操作を行うための復元ボタン１０１が一覧画面上に表示される。
【０１０４】
ユーザにより復元ボタン１０１がタッチされると、処理実行部２４は、図１９（ａ）の画面Ｂに示すように、処理の停止前に最後に選択されたファイルに対する処理を無効にし、そのファイルに対して処理が行われる前の状態に戻す。ファイルの状態が、先頭のファイルに対して処理が行われる前の状態まで戻っていなければ、復元ボタン１０１が一覧画面上に表示され続ける。さらに、復元ボタン１０１がタッチされると、処理実行部２４は、図１９（ａ）の画面Ｃに示すように、ファイルの状態を、さらに一つ前のファイルに対して処理が行われる前の状態に戻す。ファイルの状態が、先頭ファイルに対して処理が行われる前の状態まで戻れば、復元ボタン１０１が一覧画面上から消去される。
【０１０５】
図１９（ｂ）の画面Ｄに示すように、表示制御部２１により、復元ボタン１０１に加えて全復元ボタン１０２が一覧画面上に表示される構成とすることもできる。この場合、ユーザにより全復元ボタン１０２がタッチされると、処理実行部２４は、図１９（ｂ）の画面Ｅに示すように、ファイルの状態を、先頭のファイルに対して処理が行われる前の状態まで戻す。
【０１０６】
一覧画面に全復元ボタン１０２が表示されるが復元ボタン１０１が表示されない構成とされても良い。また、復元ボタン１０１および全復元ボタン１０２の少なくとも１つのボタンが、一覧画面上に表示される構成とされても良い。
【０１０７】
本変更例によれば、ユーザは、誤ってファイルが処理されても、容易な操作により、そ
のファイルを処理がなされる前の状態に戻すことができる。
【０１０８】
＜変更例３＞
図２０は、変更例３に係る携帯電話機１の構成について説明するための図である。
【０１０９】
本変更例では、制御部１１が、報知部として、個々のファイルに対する処理が完了する度に、完了した旨をユーザに通知するための報知を行う。たとえば、図２０（ａ）および（ｂ）に示すように、制御部１１は、個々のファイルに対する処理（たとえば、ファイルの移動）が完了する度に、一覧画面上に、処理が完了したことを示す通知ウィンドウをポップアップ表示する。
【０１１０】
制御部１１は、外部スピーカ７からビープ音等の音を出力することにより、処理の完了を示す報知を行っても良い。さらに、携帯電話機１にバイブレータが内蔵されている場合、制御部１１は、バイブレータによって機器本体を振動させることにより、処理の完了を示す報知を行っても良い。
【０１１１】
本変更例の構成によれば、個々のファイルに対する処理が終了したタイミングをユーザが容易に把握できるため、ユーザが停止操作を忘れて、不要なファイルが処理されてしまうことが起こりにくい。
【０１１２】
＜変更例４＞
図２１〜図２３は、変更例４に係る携帯電話機１の構成について説明するための図である。図２１〜図２３を参照し、本変更例のファイル移動処理について説明する。
【０１１３】
まず、図２１を参照する。ファイル移動処理において、ユーザによる指定操作（タップ操作）に基づいて移動先フォルダが決定されると（画面Ａ参照）、表示制御部２１により、移動先フォルダに移動されたファイルを格納するための格納エリアが、一覧画面上に表示される（画面Ｂ参照）。さらに、ファイルの移動するため操作方法を知らせる通知ウィンドウが、一定時間、一覧画面上に表示される。
【０１１４】
次に、ユーザにより先頭のファイルを指定した開始操作（ロングタッチ操作）がなされ、対象ファイルの移動が開始されると（画面Ｃ参照）、表示制御部２１により、対象ファイルが移動先フォルダへ移動する過程を表す過程表示が一覧画面上で行われる（画面Ｄ参照）。
【０１１５】
対象ファイルの移動が完了すると、表示制御部２１により、移動されたファイルが格納エリア内に表示される（画面Ｅ参照）。格納エリア内には、さらに、移動されたファイルに対して、コピーおよび削除の処理を行うために操作される「コピー」および「削除」のテキストアイコンが表示される。
【０１１６】
本変更例では、ユーザにより停止操作（ロングタッチ操作に続くリリース操作）がなされた後に、予め定められた一定時間が経過すると、制御部１１は、ユーザによる終了操作がなされなくても、ファイル移動処理を終了させる。ファイル移動処理が終了すると、表示制御部２１により、格納エリアの表示は消去され、移動されたファイルが移動先フォルダの下の階層として移動先フォルダの下方に表示される（画面Ｆおよび画面Ｇ参照）。
【０１１７】
次に、図２２を参照する。対象ファイルの移動が開始された後、確定時間内に停止操作がなされれば、その対象ファイルの移動は中止される。この場合、画面Ｈに示すように、表示制御部２１により、移動先フォルダへ向かっていたファイルが元の位置へ戻る過程表示が一覧画面上で行われる。
【０１１８】
次に、図２３を参照する。停止操作がなされた後、ユーザは、移動されたファイルをコピーしたり、削除したりできる。図２３（ａ）に示すように、移動されたファイルをコピーする場合、ユーザは、ファイルにタッチした後、「コピー」のアイコンにタッチする（画面Ｋ参照）。処理実行部２４により、移動先フォルダ内にタッチされたファイルのコピーが作成される。コピーが完了すると、表示制御部２１により格納エリア内に、コピーされたファイルが表示される（画面Ｌ参照）。図２３（ｂ）に示すように、移動されたファイルを削除する場合、ユーザは、ファイルにタッチした後、「削除」のアイコンにタッチする（画面Ｍ参照）。処理実行部２４により、タッチされたファイルが削除される。削除が完了すると、表示制御部２１により格納エリア内から、削除されたファイルの表示が消去される（画面Ｎ参照）。
【０１１９】
なお、ファイルコピー処理において、上記図２１〜図２３に示すファイル移動処理と同様の表示制御が、表示制御部２１により行われても良い。
【０１２０】
本変更例によれば、フォルダを指定した後に操作方法を通知する通知ウィンドウが表示されるので、ユーザは操作方法を容易に確認できる。
【０１２１】
さらに、本変更例によれば、処理が開始されると、ファイルがフォルダへ向かう過程が視覚的に示されるので、ユーザは処理が実行中であることを容易に確認できる。また、処理が中止されると、ファイルがフォルダから戻る過程が視覚的に示されるので、ユーザは処理が中止されたことを容易に確認できる。
【０１２２】
さらに、本変更例によれば、ユーザは、フォルダ内に設けられた「コピー」または「削除」のアイコンを操作することにより、フォルダ内に格納されたファイルに対して、削除またはコピーの処理を行うことができる。
【０１２３】
＜変更例５＞
上記実施形態では、表示面３に対するタッチ操作により入力が行われる携帯電話機１に本発明が適用されている。しかしながら、以下に説明する通り、キーパッドにより入力が行われる携帯電話機１に、本発明が適用されても良い。
【０１２４】
図２４は、変更例５に係る携帯電話機５０の構成を示す図である。図２４（ａ）は、携帯電話機５０を開いた状態の正面図であり、図２４（ｂ）は、携帯電話機５０を閉じた状態の正面図である。
【０１２５】
以下、説明の便宜上、図２４に示すように、第１キャビネット５１および第２キャビネット５２の長手方向を上下方向と定義し、第１キャビネット５１および第２キャビネット５２の短手方向を左右方向と定義する。
【０１２６】
携帯電話機５０は、いわゆる、スライド式の携帯電話機である。携帯電話機５０は、第１キャビネット５１と第２キャビネット５２を備えている。第１キャビネット５１および第２キャビネット５２は、正面から見て、ほぼ長方形状を有する。第２キャビネット５２は、上下方向にスライド可能に第１キャビネット５１に連結されている。
【０１２７】
第１キャビネット５１の正面には、キーパッド５３が配されている。キーパッド５３は、４個の起動キー５３１と、方向キー５３２と、決定キー５３３と、通話キー５３４と、終話キー５３５と、１２個のテンキー５３６と、クリアキー５３７とを備えている。
【０１２８】
起動キー５３１は、主に、電子メール、電話帳、ウェブブラウザなどの特定のアプリケ
ーションを起動する際に操作される。方向キー５３２は、主に、表示部１３に表示されたカーソルを移動する際に操作される。決定キー５３３は、主に、カーソルにより指定された項目を選択する際に操作される。通話キー５３４は、主に、通話を開始する際に操作され、終話キー５３５は、主に、通話を終了する際に操作される。テンキー５３６は、主に、文字（ひらがな、カタカナ、アルファベット）、数字および記号の入力を行う際に操作される。クリアキー５３７は、主に、入力した文字等を消去する際に操作される。
【０１２９】
第２キャビネット５２の正面には表示面５４が配されている。表示面５４には、各種の画像（画面）が表示される。
【０１３０】
第１キャビネット５１の内部には、下端部にマイクロフォン５５が配されている。マイクロフォン５５には、第１キャビネット５１の正面に形成されたマイク孔５５ａを通じて音声が入力される。第２キャビネット５２の内部には、上端部に通話スピーカ５６が配されている。通話スピーカ５６から出力された音声は、第２キャビネット５２の正面に形成された出力孔５６ａを通じて外部に放出される。
【０１３１】
携帯電話機５０を閉じた状態では、図２４（ｂ）に示すように、第２キャビネット５２が第１キャビネット５１の前方にほぼ完全に重なっている。この状態（閉じた状態）では、第２キャビネット５２の背後にキーパッド５３の全てのキーが隠れた状態となる。第２キャビネット５２が、上方へスライドされ、携帯電話機１が完全に開かれると、図２４（ａ）に示すように、キーパッド５３の全てのキーが外部に露出する。
【０１３２】
本変更例の携帯電話機５０においても、図４に示す上記実施形態のファイル移動処理と同様のファイル移動処理が実行される。ただし、本変更例では、表示面５４に対するタッチ操作ではなく、キーパッド５３に対する操作により、指定操作、開始操作、停止操作および終了操作が行われる。
【０１３３】
図２５および図２６は、ファイル移動処理が実行されたときの画面表示例を示す図である。以下、図２５および図２６を参照して、本変更例のファイル移動処理を具体的に説明する。
【０１３４】
まず、図２５を参照する。ファイルの一覧画面において、ユーザは、移動先フォルダの指定操作を行う。即ち、ユーザは、方向キー５３２によりカーソルを所望のフォルダの位置まで移動させ、決定キー５３３を押下する（画面Ａ参照）。移動先フォルダに決定されたフォルダにマーカが付される（画面Ｂ参照）。
【０１３５】
次に、ユーザは、先頭のファイルを指定した開始操作を行う。即ち、ユーザは、方向キー５３２によりカーソルを所望のファイルの位置まで移動させ、決定キー５３３に対して長押し操作を行う（画面Ｃ参照）。対象ファイルに決定されたファイルがハイライト表示される（画面Ｄ参照）。
【０１３６】
先頭ファイルの移動先ファイルへの移動が開始され、以降、ユーザが決定キー５３３を押し続けている間、順次、移動先フォルダへファイルが移動される。移動されたファイルは、元の位置から消去され、次の対象ファイルに決定されたファイルがハイライト表示される。上記実施形態のようにロングタッチ操作が行われる場合とは異なり、移動元のファイルの位置は移動しない（画面Ｅおよび画面Ｆ参照）。
【０１３７】
ファイルの移動が順次実行されている間に、ユーザにより停止操作、即ち、決定キー５３３を離す操作がなされると、移動処理が停止される。（画面Ｇおよび画面Ｈ参照）。ハイライト表示は消去され、移動されたファイルの次の選択順位のファイルの位置にカーソ
ルが表示される。
【０１３８】
次に、図２６（ａ）を参照して、ファイル移動処理が実行されたときの画面表示について説明する。まず、ユーザは、所望のファイルをフォルダへ移動させた後、終了操作を行う。ユーザは、終了操作に割り当てられたクリアキー５３７を押下する（画面Ｉ参照）。クリアキー５３７が押下されると、ファイル移動処理が終了し、移動先フォルダに付されていたマーカが消去される（画面Ｊ参照）。
【０１３９】
次に、図２６（ｂ）を参照して、ファイル移動処理が実行されたときの画面表示について説明する。ユーザは、ファイルの移動を停止した後に、さらに、移動させたいファイルがある場合、移動しないファイルを飛ばして、移動させる先頭のファイルを新たに指定し、移動の開始操作を行う。即ち、ユーザは、方向キー５３２により新たな先頭ファイルまでカーソルを移動させ、決定キー５３３に対して長押し操作を行う（画面Ｋ参照）。決定キー５３３に対して長押し操作が行われると、指定されたファイルから、ファイルの移動が再開される（画面Ｌおよび画面Ｍ参照）。
【０１４０】
本変更例では、さらに、上記実施形態と同様のファイルコピー処理、ファイル削除処理およびファイル開放処理を実行することができる。さらに、変更例１と同様のファイル登録処理を実行することができる。これらファイル処理においてユーザにより行われるキー操作は、上述の通りである。
【０１４１】
本変更例においても、上記実施形態と同様の作用効果を奏することができる。
【０１４２】
なお、上記のようなスライド式の携帯電話機に限られず、他のキー入力方式の携帯電話機、たとえば、いわゆる折り畳み式の携帯電話機に、本発明が適用されても良い。
【０１４３】
＜その他＞
以上、本発明の実施形態および変更例について説明したが、本発明は、上記実施形態等によって何ら制限されるものではなく、また、本発明の実施形態も、上記以外に種々の変更が可能である。
【０１４４】
たとえば、上記実施形態および変更例では、ファイルに対する移動、コピー、削除、開放等の処理に、本発明が適用されている。しかしながら、アプリケーション、あるいはアプリケーションのショートカットに対する移動、コピー、削除、開放等の処理に、本発明が適用されても良い。アプリケーションに対して開放処理が実行された場合は、対象となるアプリケーションが起動する。
【０１４５】
さらに、上記実施形態において、以下に説明するファイルの連続コピー処理が実行される構成とされても良い。図２７は、連続コピー処理が実行されたときの画面表示例を示す図である。
【０１４６】
ユーザは、コピー元となるファイルを指定した開始操作を行う。たとえば、コピーしたいファイルに対してロングタッチ操作を行う（画面Ａ参照）。指定されたファイルがハイライト表示されて、コピーが開始される（画面Ｂ参照）。コピーにより新たに作成されたファイルは、コピー元のファイルと同じ階層とされる。一つのコピーが完了する度に、コピー元のファイルの下に、コピーにより作成された新たなファイルの表示が行われる（画面Ｃおよび画面Ｄ参照）。こうして、ロングタッチ操作がなされている間、指定されたファイルのコピーが繰り返し作成される。ユーザにより停止操作、たとえば、表示面３から指を離す操作がなされると、連続コピー処理が終了する（画面Ｅ参照）。
【０１４７】
さらに、上記実施形態において、ファイルに対する処理（移動、コピー、削除、開放等）の実行中に電話や電子メールの着信があった場合、ファイルに対する処理が一時停止される構成とされても良い。ファイルに対する処理が一時停止された場合、着信に対応する処理が終了した後（たとえば電話であれば、通話が終了した後）には、一時停止前に処理が完了したファイルの次の選択順位のファイルに対して開始操作（たとえばロングタッチ操作）が行われることにより、そのファイルからファイルに対する処理が再開される。たとえば、通話終了後に、着信前に表示部１３に表示されていたファイルの移動処理の実行中画面上における次の選択順位のファイルがハイライト表示されることにより、ファイルの移動処理を再開するために操作すべき位置が示されることとしてもよい。このような態様により、ユーザは、処理を再開するファイルを容易に認識することができる。
【０１４８】
別の態様として、ファイルに対する処理の実行中に着信があった場合、ファイルに対する処理が中止され、着信に対応する処理の終了後には、ファイルに対応する処理が開始される前の一覧画面が表示部１３に表示されても良い。この場合、ユーザにより、最初からファイルに対する処理が行われることとなる。
【０１４９】
上記態様は、着信に限らず、アラーム、スケジュール報知等、ファイルに対する処理の実行中に割り込んで実行されるあらゆる処理に適用することができる。
【０１５０】
さらに、上記変更例２では、停止操作によってファイルに対する処理が停止されると、一覧画面に復元ボタン１０１が表示された。しかしながら、復元ボタン１０１に替えて、あるいは復元ボタン１０１に加えて、他の処理（ファイル移動処理の実行中であれば、ファイルコピー処理、ファイル削除処理、ファイル開放処理等）を実行するためのボタンが表示されても良い。これらボタンが選択されると、ボタンに対応する処理に変更される。
【０１５１】
たとえば、ファイル移動処理が行われている場合には、「コピー」、「削除」、「開放」の各ボタンが表示される。たとえば、「コピー」のボタンが押されると、フォルダが指定された状態から、即ち、図７のステップＳ２０４の処理から引き続いて、同一覧画面上でファイルコピー処理が開始される。「削除」ボタン、もしくは、「開放」ボタンが押下された場合も同様に、図１０のファイル削除処理が開始され、もしくは、図１３のファイル開放処理が開始される。このような構成とすれば、ユーザは、別の処理への変更を容易に行うことができる。
【０１５２】
また別の態様として、上記と同様に復元ボタン１０１に替えて、あるいは復元ボタン１０１に加えて、他の処理を実行するためのボタンが表示され後、これらのボタンが選択された場合、ファイル移動処理で移動処理を完了したファイルを対象に、選択されたボタンに応じた処理が実行されることとしてもよい。
【０１５３】
より具体的には、ファイル移動処理完了後に「コピー」ボタンが押下された場合は、移動後のファイルと同じファイルを、移動元もしくは移動先のフォルダにコピー（作成）するファイルコピー処理が実行される。また、ファイル移動処理の完了後に、「削除」ボタンが押下された場合は、移動後のファイルを対象としてファイル削除処理が実行される。つまり、図１０のＳ３０４に基づく処理が実行される。また、「開放」ボタンが押下された場合は、移動後のファイルを対象としてファイル開放処理が実行される。つまり、図１３のＳ４０４に基づく処理が実行される。上記態様によれば、ユーザはファイルの移動処理の完了後に、移動処理を実行したファイルに対して即座に別の処理を実行させることができる。
【０１５４】
当該他の処理を実行するためのボタンは、ファイルの移動処理の完了後に所定時間表示される、もしくは、別の操作が実行されることにより表示が消去されることとしてもよい
。
【０１５５】
本発明は、携帯電話機に限られず、パーソナルコンピュータ、ＰＤＡ（PersonalDigital Assistant）、タブレットＰＣ（Tablet PC）、電子書籍端末等の各種の情報処理装置に適用可能である。
【０１５６】
この他、本発明の実施形態は、特許請求の範囲に示された技術的思想の範囲内において、適宜、種々の変更が可能である。
【符号の説明】
【０１５７】
３  表示面（被操作部）
１３  表示部
１１  制御部（報知部）
２１  表示制御部
２２  操作判定部
２３  選択部
２４  処理実行部
５３  キーパッド（被操作部）
【図１】
0005961448.tif 000002
【図２】
0005961448.tif 000003
【図３】
0005961448.tif 000004
【図４】
0005961448.tif 000005
【図５】
0005961448.tif 000006
【図６】
0005961448.tif 000007
【図７】
0005961448.tif 000008
【図８】
0005961448.tif 000009
【図９】
0005961448.tif 000010
【図１０】
0005961448.tif 000011
【図１１】
0005961448.tif 000012
【図１２】
0005961448.tif 000013
【図１３】
0005961448.tif 000014
【図１４】
0005961448.tif 000015
【図１５】
0005961448.tif 000016
【図１６】
0005961448.tif 000017
【図１７】
0005961448.tif 000018
【図１８】
0005961448.tif 000019
【図１９】
0005961448.tif 000020
【図２０】
0005961448.tif 000021
【図２１】
0005961448.tif 000022
【図２２】
0005961448.tif 000023
【図２３】
0005961448.tif 000024
【図２４】
0005961448.tif 000025
【図２５】
0005961448.tif 000026
【図２６】
0005961448.tif 000027
【図２７】
0005961448.tif 000028